(57)【要約】      （修正有）【課題】作業員が視覚を通じて停電範囲を容易に確認することができる停電領域表示システム。【解決手段】電気所の所定の領域に設けられる電気回路を、閉状態で通電させ、開状態で通電を切断する回路開閉器１１１０を有する受変電設備１１００の停電範囲を表示する停電領域表示システム１００であり、回路開閉器１１１０における閉状態と開状態とに応じて接点が切り替わる接点スイッチを有する制御部１１０と、所定の領域を取り囲むように設けられ、接点スイッチの接点が閉じている状態と開いている状態との切り替わりに応じて点灯または消灯する照明部１２０を備え、照明部１２０は、電気回路の通電が切断されている状態で点灯する。【選択図】図５
2019125125.tif 000002
【特許請求の範囲】
【請求項１】
電気所の所定の領域に設けられる電気回路を、閉状態で通電させ、開状態で通電を切断する回路開閉器を有する受変電設備の停電範囲を表示する停電領域表示システムであって、
前記回路開閉器における閉状態と開状態とに応じて接点が切り替わる接点スイッチを有する制御部と、
前記所定の領域を取り囲むように設けられ、前記接点スイッチの接点が閉じている状態と開いている状態との切り替わりに応じて点灯または消灯する照明部と、
を備え、
前記照明部は、前記電気回路の通電が切断されている状態で点灯する
ことを特徴とする停電領域表示システム。
【請求項２】
前記回路開閉器を閉状態または開状態にするための制御信号を、前記回路開閉器に出力する制御装置
をさらに備えることを特徴とする請求項１に記載の停電領域表示システム。
【請求項３】
前記照明部は、前記所定の領域を取り囲むように設けられる区画部材に設けられる
ことを特徴とする請求項１または請求項２に記載の停電領域表示システム。
【請求項４】
前記区画部材は、前記所定の領域を形成するフェンスである
ことを特徴とする請求項３に記載の停電領域表示システム。
【請求項５】
前記区画部材は、前記所定の領域を形成する鉄構である
ことを特徴とする請求項３に記載の停電領域表示システム。
【請求項６】
前記区画部材は、前記所定の領域を形成するキュービクルである
ことを特徴とする請求項３に記載の停電領域表示システム。
【請求項７】
前記照明部は、ＬＥＤ照明を含んで構成されている
ことを特徴とする請求項１乃至請求項６の何れか一項に記載の停電領域表示システム。
【請求項８】
前記回路開閉器は、遮断器である
ことを特徴とする請求項１乃至請求項７に記載の停電領域表示システム。
【請求項９】
前記制御部の接点スイッチは、前記回路開閉器が開路して前記電気回路の通電が切断された状態で閉路されるｂ接点である
ことを特徴とする請求項１乃至請求項８の何れか一項に記載の停電領域表示システム。
【請求項１０】
電気所の所定の第１領域に設けられる第１電気回路を、閉状態で通電させ、開状態で通電を切断する第１回路開閉器と、前記電気所の所定の第２領域に設けられる第２電気回路を、閉状態で通電させ、開状態で通電を切断する第２回路開閉器と、を有する受変電設備の停電範囲を表示する停電領域表示システムであって、
前記第１回路開閉器における閉状態と開状態とに応じて接点が切り替わる第１接点スイッチと、前記第１接点スイッチと直列に接続され、前記第２回路開閉器における閉状態と開状態とに応じて接点が切り替わる第２接点スイッチと、を有する制御部と、
前記第１領域および前記第２領域を取り囲むように設けられ、前記第１接点スイッチおよび前記第２接点スイッチの接点が閉じている状態と開いている状態との切り替わりに応じて点灯または消灯する照明部と、
を備え、
前記照明部は、前記第１電気回路および前記第２電気回路の通電が切断されている状態において点灯する
ことを特徴とする停電領域表示システム。
【発明の詳細な説明】
【技術分野】
【０００１】
本発明は、停電領域表示システムに関する。
【背景技術】
【０００２】
例えば特許文献１に開示されるように、パッシブセンサーを用いた充電部接近監視システムが知られている。
【先行技術文献】
【特許文献】
【０００３】
【特許文献１】特開２０１７−１２２９４８号公報
【発明の概要】
【発明が解決しようとする課題】
【０００４】
特許文献１に記載された装置は、作業区画（非充電領域）と作業区画外（充電領域）との間に人が立ち入るとパッシブセンサーが検知して警報を出力することにより、作業者の安全を確保している。しかし、この装置では、作業者が自身の視覚により停電範囲を確認することができないため、作業者による停電範囲の確認に時間を要する虞があった。
【課題を解決するための手段】
【０００５】
前述した課題を解決する主たる本発明は、電気所の所定の領域に設けられる電気回路を、閉状態で通電させ、開状態で通電を切断する回路開閉器を有する受変電設備の停電範囲を表示する停電領域表示システムであって、前記回路開閉器における閉状態と開状態とに応じて接点が切り替わる接点スイッチを有する制御部と、前記所定の領域を取り囲むように設けられ、前記接点スイッチの接点が閉じている状態と開いている状態との切り替わりに応じて点灯または消灯する照明部と、を備え、前記照明部は、前記電気回路の通電が切断されている状態において点灯する。
本発明の他の特徴については、添付図面および本明細書の記載により明らかとなる。
【発明の効果】
【０００６】
本発明によれば、視覚を通じて電気所の停電範囲を容易に認識することができるため、作業の安全を確保しつつ、作業効率の向上を図ることができる。
【図面の簡単な説明】
【０００７】
【図１】本実施形態に係る停電領域表示システムの照明部がフェンスに設置されている一例を示す斜視図である。
【図２】本実施形態に係る停電領域表示システムの照明部がフェンスに設置されている一例を示す平面図である。
【図３】本実施形態に係る停電領域表示システムの照明部が鉄構に設置されている一例を示す平面図である。
【図４】本実施形態に係る停電領域表示システムの照明部がキュービクル内に設置されている一例を示す斜視図である。
【図５】本実施形態に係る停電領域表示システムの一例を示す構成図である。
【図６】本実施形態に係る停電領域表示システムの動作の一例を示すフロー図である。
【図７】他の実施形態に係る停電領域表示システムの一例を示す構成図である。
【図８】他の実施形態に係る停電領域表示システムの一例を示す構成図である。
【発明を実施するための形態】
【０００８】
本明細書および添付図面の記載により、少なくとも以下の事項が明らかとなる。以下の説明において、同一符号を付した部分は同一の要素を表し、その基本的な構成および動作は同様であるものとする。
【０００９】
＝＝＝本実施形態に係る停電領域表示システム１００の構成＝＝＝
図１〜図５を参照しつつ、停電領域表示システム１００の構成について、以下のとおり説明する。図１は、本実施形態に係る停電領域表示システム１００の照明部１２０がフェンス１２１０に設置されている一例を示す斜視図である。図２は、本実施形態に係る停電領域表示システム１００の照明部１２０がフェンス１２１０に設置されている一例を示す平面図である。図３は、本実施形態に係る停電領域表示システム１００の照明部１２０が鉄構１２２０に設置されている一例を示す平面図である。図４は、本実施形態に係る停電領域表示システム１００の照明部１２０がキュービクル１２３０内に設置されている一例を示す斜視図である。図５は、本実施形態に係る停電領域表示システム１００の一例を示す構成図である。
【００１０】
電気所１０００には、受変電設備１１００が配置されている。ここでの受変電設備１１００とは、例えば、屋外または屋内における、断路器、遮断器、変圧器、保護継電器、これらを収容するキュービクルなどで構成されている設備である。本実施形態においては、説明の便宜上、受変電設備１１００がキュービクルに収容されているものとする。
【００１１】
受変電設備１１００は、図１に示すように、区画部材１２００で区画される。なお、図１においては、区画部材１２００として、受変電設備１１００を取り囲むように設けられるフェンス１２１０を示しているが、これに限定されない。例えば、区画部材１２００は、図３示すような特別高圧受電設備の各構成設備を取り囲むように設けられる鉄構１２２０や、図４示すような受変電設備１１００を収容するキュービクル１２３０本体であってもよい。
【００１２】
受変電設備１１００の内部には、例えば、電気回路１１２０と、該電気回路１１２０の通電状態と非通電状態とを切り替える回路開閉器１１１０と、が収容されている。ここで、回路開閉器１１１０とは、特別高圧用または高圧用の遮断器や、負荷開閉器や、低圧用の配線用遮断器などをいう。
【００１３】
回路開閉器１１１０は、母線から電気回路１１２０に電力が供給される接続点に設けられる装置である。つまり、回路開閉器１１１０の開閉状態に応じて、電気回路１１２０に電力が供給されている通電状態と、電力が遮断されている非通電状態と、が切り替えられる。また、回路開閉器１１１０は、例えば、接点出力端子を有し、開状態および閉状態のそれぞれに応じて状態を示す接点信号を出力することができる。
【００１４】
本実施形態における停電領域表示システム１００は、上述したような受変電設備１１００の停電範囲を人の視覚を通じて認識できるように構成されている。停電領域表示システム１００は、図５に示すように、例えば、制御部１１０と、照明部１２０と、制御装置１３０と、を含んで構成されている。
【００１５】
制御部１１０は、回路開閉器１１１０の開状態または閉状態に応じて動作する装置である。制御部１１０は、例えば、各種リレーや接点スイッチで構成されていてもよいし、ＰＬＣ（プログラマブル・ロジック・コントローラー）等を用いて構成されていてもよい。本実施形態においては、説明の便宜上、制御部１１０を各種リレーや接点スイッチで構成されているものとする。
【００１６】
制御部１１０は、図５に示すように、例えば、制御電源回路１１１と、接点スイッチ１１２と、リレー１１３と、を含んで構成されている。制御電源回路１１１は、接点スイッチ１１２およびリレー１１３を動作させ、照明部１２０を点灯させるための、例えばＤＣ２４Ｖの電源ラインである。接点スイッチ１１２は、回路開閉器１１１０の開閉状態に応じて接点が開いたり閉じたりするスイッチである。接点スイッチ１１２は、例えば、ｂ接点であり、回路開閉器１１１０の開状態で接点が閉じ、回路開閉器１１１０の閉状態で接点が開くように動作する。リレー１１３は、接点スイッチ１１２と直列に接続される。リレー１１３は、コイルを有し、該コイルが励磁されると接点が閉じるａ接点を有する。これにより、回路開閉器１１１０が開状態になると同時に接点スイッチ１１２が閉じることで、リレー１１３のコイルが励磁されてａ接点が閉じることにより照明部１２０が点灯する。
【００１７】
なお、本実施形態においては、制御動作の安定性を考慮すると上述したリレー１１３は設けられている方が好ましいが省略してもよい。この場合においても、回路開閉器１１１０の開閉状態に応じて接点スイッチ１１２が開閉することにより照明部１２０を点灯または消灯させることができる。
【００１８】
照明部１２０は、点灯することにより停電範囲を表示する部材である。照明部１２０は、制御部１１０の接点スイッチ１１２およびリレー１１３が動作した状態において、電源回路から電力が供給され、点灯する。照明部１２０は、例えばＬＥＤランプやＣＣＦＬなどであるが、その部材は限定されず点灯する部材であればよい。照明部１２０は、例えば、図１に示すように、受変電設備１１００を取り囲むように設けられるフェンス１２１０に設けられる。また、図３に示すように、受変電設備１１００を取り囲む鉄構１２２０に設けられてもよく、また、図４に示すように、電気回路１１２０を取り囲むキュービクル１２３０内に設けられていてもよい。これにより、作業員は、視覚を通じて停電範囲を容易に確認することができる。
【００１９】
制御装置１３０は、操作員が回路開閉器１１１０の開閉状態を切り替えるための制御信号を回路開閉器１１１０に出力する機能を有する装置である。また、回路開閉器１１１０および制御部１１０から各種信号を取得して、表示部１３２で操作員が確認できるように、夫々の状態を表示させる機能を有する。これにより、操作員は、遠隔で、回路開閉器１１１０を操作しつつ、停電範囲を確認できるため、作業効率の向上が図れる。
【００２０】
このような機能を発揮する制御装置１３０は、例えば、演算処理部１３１と、表示部１３２と、記憶部１３３と、入力部１３４と、出力部１３５と、メモリ１３６と、を有している。演算処理部１３１、表示部１３２、入力部１３４、出力部１３５およびメモリ１３６の夫々は、通信可能に接続されている。演算処理部１３１は、例えばＣＰＵあるいはＭＰＵなどで構成され、メモリ１３６に格納されているプログラムを読み込むことで各種機能を実現する。表示部１３２は、液晶モニタや有機ＥＬモニタなどであり、回路開閉器１１１０の開閉状態および照明部１２０の点灯状態などを表示する。記憶部１３３は、プログラムや各種情報を記憶する装置である。記憶部１３３は、例えば、ＲＯＭ、ＲＡＭあるいはフラッシュメモリなどで構成されている。入力部１３４は、通信ネットワーク（不図示）を介して、制御部１１０から各種情報が入力されるネットワークインターフェイスである。出力部１３５は、通信ネットワーク（不図示）を介して制御部１１０に各種情報を出力するネットワークインターフェイスである。メモリ１３６は、演算処理部１３１が処理するためのプログラムを格納する装置である。メモリ１３６は、例えば、ハードディスクドライブ、ＳＳＤあるいは光学式記憶装置などで構成されている。
【００２１】
＝＝動作フロー＝＝
図６を参照しつつ、停電領域表示システム１００の動作フローについて、以下のとおり説明する。図６は、本実施形態に係る停電領域表示システム１００の動作の一例を示すフロー図である。
【００２２】
先ず、操作員は、制御装置１３０を操作して、停電操作対象の受変電設備１１００の回路開閉器１１１０に制御装置１３０から開信号が出力される（Ｓ１０）。対象の回路開閉器１１１０は、開状態に移行する（Ｓ１１）。
【００２３】
次に、対象の回路開閉器１１１０が開状態に移行すると、これに応じて、制御部１１０の接点スイッチ１１２（ｂ接点）が閉じる（Ｓ１２）。さらに、接点スイッチ１１２が閉じることにより、接点スイッチ１１２と制御電源回路１１１との間に設けられているリレー１１３に給電されるため、リレー１１３のａ接点が閉じる（Ｓ１３）。
【００２４】
リレー１１３のａ接点が閉じると、制御電源回路１１１から照明部１２０に給電されることで、照明部１２０が点灯する（Ｓ１４）。これにより、受変電設備１１００を取り囲むように設けられている照明部１２０によって、停電範囲が示されるため、作業員が安全に作業を開始できる。
【００２５】
＝＝＝他の実施形態に係る停電領域表示システム１００の構成＝＝＝
図７、図８を参照しつつ、停電領域表示システム１００の他の構成について、以下のとおり説明する。図７は、他の実施形態に係る停電領域表示システム１００の一例を示す回路構成図である。図８は、他の実施形態に係る停電領域表示システム１００の一例を示す回路構成図である。
【００２６】
他の実施形態に係る停電領域表示システム１００の一例は、図７に示すように、受変電設備１１００の回路開閉器１１１０が二系統の夫々に設けられている状況において、停電範囲を表示するものである。ここでは、一の系統に設けられ、第１電気回路１１２１を開閉する回路開閉器１１１０を第１回路開閉器１１１１と称し、他の系統に設けられ、第２電気回路１１２２を開閉する回路開閉器１１１０を第２回路開閉器１１１２と称する。停電領域表示システム１００は、第１回路開閉器１１１１の開状態で接点が閉じ、第１回路開閉器１１１１の閉状態で接点が開くように動作するｂ接点を有する第１接点スイッチ１１２ａと、第２回路開閉器１１１２の開状態で接点が閉じ、第２回路開閉器１１１２の閉状態で接点が開くように動作するｂ接点を有する第２接点スイッチ１１２ｂと、第１接点スイッチ１１２ａおよび第２接点スイッチ１１２ｂと直列に接続されるリレー１１３と、を有する制御部１１０を備える。これにより、第１回路開閉器１１１１および第２回路開閉器１１１２が開状態になると同時に、第１接点スイッチ１１２ａおよび第２接点スイッチ１１２ｂが閉じることで、リレー１１３のａ接点が閉じるため、停電範囲を取り囲んでいる照明部１２０が点灯する。作業員は、視覚を通じて停電範囲を容易に確認することができる。
【００２７】
他の実施形態に係る停電領域表示システム１００の他の一例は、図８に示すように、受変電設備１１００の回路開閉器１１１０が三系統の夫々に設けられている状況において、停電範囲を表示するものである。ここでは、一の系統に設けられ、第１電気回路１１２１を開閉する回路開閉器１１１０を第１回路開閉器１１１１と称し、他の系統に設けられ、第２電気回路１１２２を開閉する回路開閉器１１１０を第２回路開閉器１１１２と称し、さらに他の系統に設けられ、第３電気回路１１２３を開閉する回路開閉器１１１０を第３回路開閉器１１１３と称する。停電領域表示システム１００は、第１回路開閉器１１１１の開状態で接点が閉じ、第１回路開閉器１１１１の閉状態で接点が開くように動作するｂ接点を有する第１接点スイッチ１１２ａと、第２回路開閉器１１１２の開状態で接点が閉じ、第２回路開閉器１１１２の閉状態で接点が開くように動作するｂ接点を有する第２接点スイッチ１１２ｂと、第３回路開閉器１１１３の開状態で接点が閉じ、第３回路開閉器１１１３の閉状態で接点が開くように動作するｂ接点を有する第３接点スイッチ１１２ｃと、第１接点スイッチ１１２ａ、第２接点スイッチ１１２ｂおよび第３接点スイッチ１１２ｃと直列に接続されるリレー１１３と、を有する制御部１１０を備える。これにより、第１回路開閉器１１１１、第２回路開閉器１１１２および第３回路開閉器１１１３が開状態になると同時に、第１接点スイッチ１１２ａ、第２接点スイッチ１１２ｂおよび第３接点スイッチ１１２ｃが閉じることで、リレー１１３のａ接点が閉じるため、停電範囲を取り囲んでいる照明部１２０が点灯する。作業員は、視覚を通じて停電範囲を容易に確認することができる。
【００２８】
＝＝＝まとめ＝＝＝
以上説明したように、本実施形態に係る停電領域表示システム１００は、電気所１０００の所定の領域に設けられる電気回路１１２０を、閉状態で通電させ、開状態で通電を切断する回路開閉器１１１０を有する受変電設備１１００の停電範囲を表示する停電領域表示システム１００であって、回路開閉器１１１０における閉状態と開状態とに応じて接点が切り替わる接点スイッチ１１２を有する制御部１１０と、所定の領域を取り囲むように設けられ、接点スイッチ１１２の接点が閉じている状態と開いている状態との切り替わりに応じて点灯または消灯する照明部１２０と、を備え、照明部１２０は、電気回路１１２０の通電が切断されている状態で点灯する。本実施形態によれば、操作員が視覚を通じて電気所１０００の停電範囲を容易に認識することができるため、作業の安全を確保することができる。
【００２９】
また、本実施形態に係る停電領域表示システム１００は、回路開閉器１１１０を閉状態または開状態にするための制御信号を、回路開閉器１１１０に出力する制御装置１３０をさらに備える。本実施形態によれば、操作員は、遠隔で回路開閉器１１１０を操作しつつ停電範囲を確認できるため作業効率の向上が図れる。
【００３０】
また、本実施形態に係る停電領域表示システム１００の照明部１２０は、所定の領域を取り囲むように設けられる区画部材１２００に設けられる。本実施形態によれば、照明部１２０を既存の施設に設けることができるため、停電領域表示システム１００を導入する際のコスト縮減が図れる。
【００３１】
また、本実施形態に係る停電領域表示システム１００の照明部１２０が設けられる区画部材１２００は、所定の領域を形成するフェンス１２１０、鉄構１２２０またはキュービクル１２３０である。本実施形態によれば、照明部１２０を既存の施設に設けることができるため、停電領域表示システム１００を導入する際のコスト縮減が図れる。
【００３２】
また、本実施形態に係る停電領域表示システム１００の照明部１２０は、ＬＥＤ照明を含んで構成されている。このように、本実施形態によれば、照明部１２０として汎用の照明部材を用いることによりコスト縮減が図れる。
【００３３】
また、本実施形態に係る停電領域表示システム１００の制御部１１０が信号を取得する回路開閉器１１１０は、遮断器である。本実施形態によれば、停電範囲を確実、適切に把握するための設備を選定することにより、確実な運用が確保できる。
【００３４】
また、本実施形態に係る停電領域表示システム１００の制御部１１０の接点スイッチ１１２は、回路開閉器１１１０が開路して電気回路１１２０の通電が切断された状態で閉路されるｂ接点である。本実施形態によれば、汎用のスイッチ部材を用いることによりコスト縮減が図れる。
【００３５】
なお、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３６】
１００  停電領域表示システム
１１０  制御部
１１２  接点スイッチ
１１２ａ  第１接点スイッチ
１１２ｂ  第２接点スイッチ
１２０  照明部
１３０  制御装置
１０００  電気所
１１００  受変電設備
１１１０  回路開閉器
１１１１  第１回路開閉器
１１１２  第２回路開閉器
１１２０  電気回路
１１２１  第１電気回路
１１２２  第２電気回路
１２００  区画部材
１２１０  フェンス
１２２０  鉄構
１２３０  キュービクル
【図１】
2019125125.tif 000003
【図２】
2019125125.tif 000004
【図３】
2019125125.tif 000005
【図４】
2019125125.tif 000006
【図５】
2019125125.tif 000007
【図６】
2019125125.tif 000008
【図７】
2019125125.tif 000009
【図８】
2019125125.tif 000010